(57)【要約】【課題】防滴構造としても実装エリアおよびコストへの影響の小さい携帯端末を提供すること。【解決手段】ロッド状に形成されたロッド部材４０と、ケース１０とカバー２０とが密着して組み合わさるとともに、ロッド部材４０を外部から出し入れ可能に収納する筐体（１０、２０）と、ケース１０の内側の面に設けられるとともに、ロッド部材４０が収容される筒形状部とその他のエリアとを仕切り、かつ、カバー２０と近接するリブ部１１と、筒形状部の底部におけるリブ部１１とカバー２０との間に挟み込まれたパッキン部品６０と、筒形状部内から筐体（１０、２０）の外部に通ずる排水用通路部１２と、を備える。【選択図】図１
2012175485.tif 000002
【特許請求の範囲】
【請求項１】
ロッド状に形成されたロッド部材と、
ケースとカバーとが密着して組み合わさるとともに、前記ロッド部材を外部から出し入れ可能に収納する筐体と、
前記ケースの内側の面に設けられるとともに、前記ロッド部材が収容される筒形状部とその他のエリアとを仕切り、かつ、前記カバーと近接するリブ部と、
前記筒形状部の底部における前記リブ部と前記カバーとの間に挟み込まれたパッキン部品と、
前記筒形状部内から前記筐体の外部に通ずる排水用通路部と、
を備えることを特徴とする携帯端末。
【請求項２】
前記ロッド部材は、伸縮自在なアンテナであり、
前記アンテナの構成部材の一部は、ネジによって前記ケース又は前記カバーに締結固定されることを特徴とする請求項１記載の携帯端末。
【請求項３】
前記筐体内における前記その他のエリアに組みつけられた電子回路基板を備えることを特徴とする請求項１又は２記載の携帯端末。
【請求項４】
前記カバーに組み付けられるとともに、前記電子回路基板の給電用の端子と電気的に接続され、かつ、前記アンテナと電気的に接続される給電用板金部品を備えることを特徴とする請求項２又は３記載の携帯端末。
【請求項５】
前記電気回路基板は、前記給電用板金部品と弾性的に接触するオンボードコンタクトを搭載していることを特徴とする請求項４記載の携帯端末。
【請求項６】
前記給電用板金部品は、前記アンテナと弾性的に接触することを特徴とする請求項４又は５記載の携帯端末。
【請求項７】
前記パッキン部品は、前記筒形状部の底部における前記リブ部の形状に沿ってＬ字形状又はＪ字形状に形成されていることを特徴とする請求項１乃至６のいずれか一に記載の携帯端末。
【請求項８】
前記排水用通路部は、少なくとも前記筒形状部の底部の近傍に１箇所形成されていることを特徴とする請求項１乃至７のいずれか一に記載の携帯端末。
【請求項９】
前記排水用通路部は、前記筒形状部の中間部分にも形成されていることを特徴とする請求項１乃至８のいずれか一に記載の携帯端末。
【請求項１０】
前記排水用通路部は、前記ケース又は前記カバーに形成された溝部であることを特徴とする請求項１乃至９のいずれか一に記載の携帯端末。
【発明の詳細な説明】
【技術分野】
【０００１】
本発明は、携帯端末に関し、特に、防滴構造を有する携帯端末に関する。
【背景技術】
【０００２】
近年、携帯電話機などの携帯端末の多機能化により、デジタルテレビの視聴可能な機能を持つ携帯端末も一般的なものとなった。しかしながら、多機能化の方向性とは反対に端末のサイズの小型化や薄型化も求められており、その相反する機能の両立に苦心している。現在では防水構造を有する携帯端末もラインナップされており、防水構造を有する携帯端末も一般的なものとなっている。
【先行技術文献】
【特許文献】
【０００３】
【特許文献１】特開２０１０−２０００３７号公報
【特許文献２】特開平７−３２１５２５号公報
【発明の概要】
【発明が解決しようとする課題】
【０００４】
防水構造を有する携帯端末では、その機能上、多くの制約があり、一般には浸水経路を完全に遮断するために、ケース、カバーの接触部分に継ぎ目なくパッキン等を配置している（例えば、特許文献１参照）。ところが、パッキン等を配置すると、その部品分だけ部品点数が増加するだけでなく、内部実装エリアが縮小し、パッキンのサイズ大によりコストが嵩んだりする等、装置構成、実装面積および部品コストに著しい影響を与える。また、浸水経路を完全に遮断したとしても、ケース、カバーの接触部分において完全に隙間をなくせないため、隙間に水が溜まっていると、部品が腐蝕／劣化したり、ユーザの服等が濡れてしまうことがある。
【０００５】
また、アンテナ周りを防水するためにケース内のアンテナの周囲に収納パイプを設け、収納パイプ内に溜まった水を外部に排出するための水抜き孔をケースに設けたものがあるが（例えば、特許文献２参照）、収納パイプを設けることで内部実装エリアが縮小したり部品点数が増えてしまうおそれがある。
【０００６】
また、完全な防水を行わない携帯端末の場合にも、水浸入に対して最低限（例えば雨の降り込み、濡れ手での操作など）の考慮が必要であるが、水浸入を完全に遮断するものではないため、できる限り実装エリア、コストに影響のない方法が求められることとなる。
【０００７】
本発明の主な課題は、防滴構造としても実装エリアおよびコストへの影響の小さい携帯端末を提供することである。
【課題を解決するための手段】
【０００８】
本発明の一視点においては、携帯端末において、ロッド状に形成されたロッド部材と、ケースとカバーとが密着して組み合わさるとともに、前記ロッド部材を外部から出し入れ可能に収納する筐体と、前記ケースの内側の面に設けられるとともに、前記ロッド部材が収容される筒形状部とその他のエリアとを仕切り、かつ、前記カバーと近接するリブ部と、前記筒形状部の底部における前記リブ部と前記カバーとの間に挟み込まれたパッキン部品と、前記筒形状部内から前記筐体の外部に通ずる排水用通路部と、を備えることを特徴とする。
【０００９】
本発明の前記携帯端末において、前記ロッド部材は、伸縮自在なアンテナであり、前記アンテナの構成部材の一部は、ネジによって前記ケース又は前記カバーに締結固定されることが好ましい。
【００１０】
本発明の前記携帯端末において、前記筐体内における前記その他のエリアに組みつけられた電子回路基板を備えることが好ましい。
【００１１】
本発明の前記携帯端末において、前記カバーに組み付けられるとともに、前記電子回路基板の給電用の端子と電気的に接続され、かつ、前記アンテナと電気的に接続される給電用板金部品を備えることが好ましい。
【００１２】
本発明の前記携帯端末において、前記電気回路基板は、前記給電用板金部品と弾性的に接触するオンボードコンタクトを搭載していることが好ましい。
【００１３】
本発明の前記携帯端末において、前記給電用板金部品は、前記アンテナと弾性的に接触することが好ましい。
【００１４】
本発明の前記携帯端末において、前記パッキン部品は、前記筒形状部の底部における前記リブ部の形状に沿ってＬ字形状又はＪ字形状に形成されていることが好ましい。
【００１５】
本発明の前記携帯端末において、前記排水用通路部は、少なくとも前記筒形状部の底部の近傍に１箇所形成されていることが好ましい。
【００１６】
本発明の前記携帯端末において、前記排水用通路部は、前記筒形状部の中間部分にも形成されていることが好ましい。
【００１７】
本発明の前記携帯端末において、前記排水用通路部は、前記ケース又は前記カバーに形成された溝部であることが好ましい。
【発明の効果】
【００１８】
本発明によれば、筐体内にロッド状の部材を収納する筒形状部とその他のエリアとを仕切るリブ部を設け、筒形状部の底部におけるリブ部とカバーとの間にパッキン部品を挟み込み、筐体内のうち筒形状部からその他のエリアへ浸水させない最低限のサイズのパッキン部品を配設するだけで、浸水経路が限定され、パッキン部品の配置エリアを最小にでき、実装スペースへの影響を最小化でき、コストが下げられる。また、筒形状部内に溜まった水を、排水用通路を通じて筐体の外部へ排水することで、筐体内部のうち筒形状部を除くエリアへの浸水を回避できる。
【図面の簡単な説明】
【００１９】
【図１】本発明の実施例１に係る携帯端末の構成を模式的に示した展開斜視図である。
【図２】本発明の実施例１に係る携帯端末のカバーにおける給電用板金部品及びパッキン部品の取付位置を模式的に示した平面図である。
【図３】本発明の実施例１に係る携帯端末のアンテナの構成を模式的に示した斜視図であり、（Ａ）縮めた状態、（Ｂ）伸ばした状態の図である。
【図４】本発明の実施例１に係る携帯端末の構成を模式的に示した斜視図であり、（Ａ）アンテナを縮めた状態、（Ｂ）アンテナを伸ばした状態の図である。
【図５】本発明の実施例１に係る携帯端末の内部構成を模式的に示した拡大部分断面図であり、（Ａ）筒形状部付近、（Ｂ）パッキン部品付近の図である。
【図６】本発明の実施例１に係る携帯端末のケースの内部側の面の構成を模式的に示した平面図である。
【図７】本発明の実施例１に係る携帯端末のカバーの内部側の面の構成を模式的に示した平面図である。
【図８】本発明の実施例１に係る携帯端末のケース及びカバーの内部側の面の構成を模式的に示した斜視図であり、（Ａ）ケース、（Ｂ）カバーの図である。
【発明を実施するための形態】
【００２０】
本発明の実施形態に係る携帯端末では、ロッド状に形成されたロッド部材（図１の４０）と、ケース（図１の１０）とカバー（図１の２０）とが密着して組み合わさるとともに、前記ロッド部材を外部から出し入れ可能に収納する筐体（図１の１０、２０）と、前記ケースの内側の面に設けられるとともに、前記ロッド部材が収容される筒形状部（図５（Ａ）の８０）とその他のエリアとを仕切り、かつ、前記カバーと近接するリブ部（図１の１１）と、前記筒形状部の底部における前記リブ部と前記カバーとの間に挟み込まれたパッキン部品（図１の６０）と、前記筒形状部内から前記筐体の外部に通ずる排水用通路部（図１の１２）と、を備える。
【００２１】
なお、本出願において図面参照符号を付している場合は、それらは、専ら理解を助けるためのものであり、図示の態様に限定することを意図するものではない。
【実施例１】
【００２２】
本発明の実施例１に係る携帯端末について図面を用いて説明する。図１は、本発明の実施例１に係る携帯端末の構成を模式的に示した展開斜視図である。図２は、本発明の実施例１に係る携帯端末のカバーにおける給電用板金部品及びパッキン部品の取付位置を模式的に示した平面図である。図３は、本発明の実施例１に係る携帯端末のアンテナの構成を模式的に示した斜視図であり、（Ａ）縮めた状態、（Ｂ）伸ばした状態の図である。図４は、本発明の実施例１に係る携帯端末の構成を模式的に示した斜視図であり、（Ａ）アンテナを縮めた状態、（Ｂ）アンテナを伸ばした状態の図である。図５は、本発明の実施例１に係る携帯端末の内部構成を模式的に示した拡大部分断面図であり、（Ａ）筒形状部付近、（Ｂ）パッキン部品付近の図である。図６は、本発明の実施例１に係る携帯端末のケースの内部側の面の構成を模式的に示した平面図である。図７は、本発明の実施例１に係る携帯端末のカバーの内部側の面の構成を模式的に示した平面図である。図８は、本発明の実施例１に係る携帯端末のケース及びカバーの内部側の面の構成を模式的に示した斜視図であり、（Ａ）ケース、（Ｂ）カバーの図である。
【００２３】
図１を参照すると、携帯端末は、携帯可能な端末であり、筐体内に筒形状の空間となる筒形状部（図５（Ａ）の８０）を有する端末である。筒形状部８０は、外部（方向は不問）から筐体内にアンテナ４０（タッチペン等のロッド状の部材でも可）を出し入れ可能に収納することが可能な筒形状の空間であり、ケース１０のリブ部１１とカバー２０の収容部２１とによって囲まれている。携帯端末は、筒形状部８０内に浸入した水を防滴する構造（パッキン部品６０、排水溝部１２等；詳細は後述）を有する。携帯端末は、主な構成部材として、ケース１０と、カバー２０と、電子回路基板３０と、アンテナ４０と、給電用板金部品５０と、パッキン部品６０と、ネジ７０と、を有する。
【００２４】
ケース１０は、実装部品（電子回路基板３０、アンテナ４０、給電用板金部品５０、パッキン部品６０）の表側（例えば、表示画面側）を覆う筐体である（図１、図５、図６、図８（Ａ）参照）。ケース１０は、カバー２０と組み合わさり、組み合わせ部分でカバー２０と密着する。ケース１０は、内側の面にて、電子回路基板３０が組付けられる。ケース１０は、内側の面に、アンテナ４０を収納する空間と、その他のケース１０内の空間との間を仕切るリブ部１１を有する。リブ部１１は、カバー２０の収容部２１と近接（接合）して組み合わさることで、筒形状部８０を形成する。リブ部１１は、筒形状部８０の底部にある部分にて、パッキン部品６０と弾性的に接触している。ケース１０は、筒形状部８０に溜まった水を外部に排出するための排水溝部１２を有する。排水溝部１２は、筒形状部８０の底部（中間部分でも可）にあるリブ部１１のアンテナ４０を収納する空間側に形成されている。なお、排水溝部１２は、筒形状部８０の底部かつ１箇所に限らず、筒形状部８０内の中間部分、複数箇所に設けてもよく、筒形状部８０内の広域部分を排水用の経路とすることもできる。ケース１０は、周縁部にて、アンテナ４０をネジ７０で締結するためのネジ締結部１３を有する。ケース１０は、筐体内に収納された状態のアンテナ４０を伸長させるときに、アンテナ４０の先端モールド部４２が指先で掛けられるように、凹形状に形成されている。
【００２５】
カバー２０は、実装部品（電子回路基板３０、アンテナ４０、給電用板金部品５０、パッキン部品６０）の裏側（例えば、電池蓋側）を覆う筐体である（図１、図２、図５、図７、図８（Ｂ）参照）。カバー２０は、ケース１０と組み合わさり、組み合わせ部分でケース１０と密着する。カバー２０は、側端面にて、アンテナ４０を挿入して組付けるための開口部を有する。なお、アンテナ用の開口部は、ケース１０側に設けてもよい。カバー２０は、内側にて、アンテナ４０を収容する収容部２１を有する。収容部２１は、ケース１０のリブ部１１と近接（接合）して組み合わさることで、筒形状部８０を形成する。カバー２０には、内側の面のうち、筒形状部８０の底部にあるリブ部１１の部分と対応する位置にパッキン部品６０が組付けられている（図２参照）。カバー２０には、内側の面のうち、アンテナ４０のブラケット４１、及び電子回路基板３０のオンボードコンタクト３１の近傍の部分に給電用板金部品５０が組付けられている（図２参照）。
【００２６】
電子回路基板３０は、配線基板に電子部品が搭載された基板である（図１参照）。電子回路基板３０は、ケース１０の内側に組み付けられている。電子回路基板３０は、カバー２０側の面におけるアンテナ４０のブラケット４１の近傍の部分にオンボードコンタクト３１が取り付けられている。オンボードコンタクト３１は、弾性変形可能な導体であり、カバー２０に取り付けられた給電用板金部品５０と弾性的に接触し、給電用板金部品５０を介してアンテナ４０のブラケット４１と電気的に接続され、電子回路基板３０の本体のアンテナ給電用の配線に電気的に接続されている。
【００２７】
アンテナ４０は、伸縮自在なロッドタイプの部材である（図１、図３、図４、図５参照）。アンテナ４０は、カバー２０の側端面に形成された開口部から挿入して組み付けられる。アンテナ４０は、ネジ７０によってケース１０に組付けるためのブラケット４１を有する。ブラケット４１は、アンテナ４０のロッド部分を挿通する筒状部分を有し、当該ロッド部分を引き出したときに当該ロッド部分の根元部分が筒状部分によって係止されて係合する。また、ブラケット４１は、筒状部分からケース１０のネジ締結部１３側に突出したプレート部を有し、当該プレート部においてネジ７０の雄ネジ部分を挿通するための孔を有する。ブラケット４１がネジ７０によってネジ締結部１３に締結されることで、アンテナ４０がケース１０に組付けられる。なお、アンテナ４０がカバー２０に組付けられる構成であってもよい。アンテナ４０は、縮小時には筐体（ケース１０とカバー２０が組み合わさったもの）内の筒形状部８０（収容部２１とリブ部１１によって囲まれた空間）内に収納される。アンテナ４０は、ロッド部分の先端部に先端モールド部４２が取り付けられている。先端モールド部４２は、筐体内に収納された状態のアンテナ４０を伸長させるときに、指先が掛けられるように設定されている。アンテナ４０には、例えば、地上デジタル用テレビアンテナ、携帯電話機の（過去に用いられた）８００ＭＨｚ帯等のアンテナ、アナログテレビアンテナ、ラジオアンテナ、その他の電波送受信用のアンテナにも適用することができる。
【００２８】
給電用板金部品５０は、アンテナ４０と電子回路基板３０と電気的に接続するための板金（導体）よりなる部品である（図１、図２参照）。給電用板金部品５０は、カバー２０の内側の面のうち、アンテナ４０のブラケット４１、及び電子回路基板３０のオンボードコンタクト３１の近傍の部分に組付けられている（図２参照）。給電用板金部品５０は、アンテナ４０のブラケット４１と弾性的に接触することで、アンテナ４０と電気的に接続される。給電用板金部品５０は、電気回路基板３０のオンボードコンタクト３１と弾性的に接触することで、電子回路基板３０と電気的に接続される。
【００２９】
パッキン部品６０は、筒形状部８０の底部にあるケース１０のリブ部１１とカバー２０との間の隙間を封止する部品である（図１、図２、図５（Ａ）参照）。パッキン部品６０は、カバー２０に組付けられている。パッキン部品６０は、弾性変形可能な材料よりなり、例えば、シリコーンゴム、エラストマ、独立発砲のクッション材等を用いることができる。パッキン部品６０は、筒形状部８０の底部にあるリブ部１１の形状に合わせてＬ字型（Ｊ型でも可）に形成されており、ケース１０のリブ部１１と比べ、全長が小さくできている。そのため、パッキン部品６０の設置範囲は筒形状部８０の全体ではなく、筒形状部８０の底部のみとなる。
【００３０】
ネジ７０は、アンテナ４０をケース１０に締結固定するための部材である（図１参照）。ネジ７０は、雄ネジ部がアンテナ４０のブラケット４１に形成された孔に挿通され、ケース１０のネジ締結部１３と螺合する。
【００３１】
次に、本発明の実施例１に係る携帯端末の組立について説明する。なお、携帯端末の各構成部については、図１〜図８を参照されたい。
【００３２】
まず、ケース１０に電子回路基板３０（他の部品がある場合にはその部品）を組付ける。次に、カバー２０に給電用板金部品５０及びパッキン部品６０を組付ける。次に、ケース１０とカバー２０とを組付ける。ここで、ケース１０とカバー２０とを組付けることで、給電用板金部品５０と、電子回路基板３０上に搭載されたオンボードコンタクト３１とが接触するように設計されている。また、ケース１０とカバー２０とを組付けることで、パッキン部品６０がケース１０のリブ部１１とカバー２０とにより挟まれて圧縮されることにより、筒形状部８０の底部におけるリブ部１１とカバー２０との間の隙間がなくなる。
【００３３】
その後、筐体（ケース１０とカバー２０とが組み合わさったもの）の開口部（アンテナ挿入用）に、アンテナ４０を挿し込み、ネジ７０によってアンテナ４０のブラケット４１をケース１０のネジ締結部１３に締結固定する。このとき、アンテナ４０のブラケット４１と給電用板金部品５０とが弾性的に接触し、両者の接触が確保される。これにより、アンテナ４０の信号の経路（アンテナ４０のブラケット４１、給電用板金部品５０、オンボードコンタクト３１、電子回路基板３０）ができる。
【００３４】
次に、本発明の実施例１に係る携帯端末の防滴について説明する。
【００３５】
携帯端末の様々な使用シーン、例えば、雨が降っている中での画面操作などを考慮した場合、地上デジタル用のアンテナ４０は筐体（ケース１０とカバー２０とが組み合わさったもの）内に出し入れ可能な構成となっており、アンテナ４０を挿入する箇所が筐体に対して穴となっており、かつ、携帯端末の使用シーン上、その穴は上方を向いて使用される頻度が高く、雨などによる浸水が懸念される。そのため、筐体内でアンテナ４０を収容する筒形状部８０内に水滴が浸入してしまう。筒形状部８０内に浸水した水滴は、筒形状部８０の側壁面を伝って筒形状部８０の底部に溜まる。筒形状部８０の底部に溜った水滴は、筒形状部８０の底部がケース１０のリブ部１１とカバー２０とに挟み込まれたパッキン部品６０によってシールされることにより、筐体内部のうち筒形状部８０以外のエリア（電子回路基板３０などの収まっているエリア）へ浸水しないようにすることができる。
【００３６】
パッキン部品６０は筒形状部８０の底部をシールする最小サイズとしているため、筒形状部８０内に許容量以上の水が溜まると、筐体内部の電子回路基板３０などの収まっているエリアに浸水してしまうおそれがある。そのため、筒形状部８０の底部に溜まった水滴が筒形状部８０内に溜まり続けることがないように、筐体（ケース１０とカバー２０が組み合わさったもの）に筒形状部８０の底部から外部に通ずる排水溝部１２を設けて、常時排水させる。
【００３７】
つまり、水の溜まる量と排水量のバランスにより、電子回路基板３０などの収まっているエリアへの浸水を防ぐことができる。また、筒形状部８０から外部へ排水された水は、ケース１０とカバー２０の組み合わせ部分が密着しているため、再び筐体内に浸入することはない。
【００３８】
実施例１によれば、以下のような効果を奏する。
【００３９】
第１の効果は、筐体内にアンテナ４０を収納する筒形状部８０とその他のエリアとを仕切るリブ部１１を設け、筒形状部８０の底部におけるリブ部１１とカバー２０との間にパッキン部品６０を挟み込み、筐体内のうち筒形状部８０からその他のエリアへ浸水させない最低限のサイズのパッキン部品６０を配設するだけで、浸水経路が限定され、パッキン部品６０の配置エリアを最小にでき、実装スペースへの影響を最小化できる。
【００４０】
第２の効果は、従来構成よりパッキン部品６０が小さくできるため、パッキン部品６０自体の小型化により部品コストが下げられる。
【００４１】
第３の効果は、筒形状部８０内に溜まった水を、排水溝部１２を通じて筐体の外部へ排水することで、筐体内部のうち筒形状部８０を除くエリアへの浸水を回避できる。
【００４２】
なお、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００４３】
１０  ケース
１１  リブ部
１２  排水溝部（排水用通路部）
１３  ネジ締結部
２０  カバー
２１  収容部
３０  電子回路基板
３１  オンボードコンタクト
４０  アンテナ（ロッド部材）
４１  ブラケット
４２  先端モールド部
５０  給電用板金部品
６０  パッキン部品
７０  ネジ
８０  筒形状部
【図１】
2012175485.tif 000003
【図２】
2012175485.tif 000004
【図３】
2012175485.tif 000005
【図４】
2012175485.tif 000006
【図５】
2012175485.tif 000007
【図６】
2012175485.tif 000008
【図７】
2012175485.tif 000009
【図８】
2012175485.tif 000010